(57)【特許請求の範囲】
【請求項１】
釣竿を収容するための釣竿収容部を形成するケース本体を備え、肩掛け用のショルダーベルトが前記ケース本体の背面に止着されて成る釣竿ケースであって、
前記ケース本体の少なくとも前記背面に補強体が配置され、該補強体は、前記ケース本体の長手方向に延在する所定幅の平板状の本体部材と、前記ケース本体のねじれ変形を抑制するように前記本体部材の幅方向の両端に設けられるねじれ抑制部とを備えて成り、
前記ねじれ抑制部は、前記本体部材の幅方向の両端から円弧状に膨出して前記本体部材の他の部位よりも肉厚に形成されて成ることを特徴とする釣竿ケース。
【請求項２】
釣竿を収容するための釣竿収容部を形成するケース本体を備え、肩掛け用のショルダーベルトが前記ケース本体の背面に止着されて成る釣竿ケースであって、
前記ケース本体の少なくとも前記背面に補強体が配置され、該補強体は、前記ケース本体の長手方向に延在する所定幅の平板状の本体部材と、前記ケース本体のねじれ変形を抑制するように前記本体部材の幅方向の両端に設けられるねじれ抑制部とを備えて成り、
前記ねじれ抑制部は、前記本体部材の幅方向の両端のそれぞれに略Ｙ形状を成す２つの屈曲部を設けることにより形成され、前記屈曲部は、前記釣竿収容部に向けて内側に屈曲する第１の屈曲部と、前記釣竿収容部に対して外側に方向付けられる第２の屈曲部とから成ることを特徴とする釣竿ケース。
【請求項３】
前記ケース本体が外装体と内装体とから成る積層構造を有し、前記外装体と前記内装体との間に形成される空隙部に前記補強体が挿脱自在に挿入して取り付けられることを特徴とする請求項１または請求項２に記載の釣竿ケース。
【請求項４】
前記補強体は、少なくとも前記ケース本体に対する前記ショルダーベルトの両端の取付部間の長さ領域にわたって延在することを特徴とする請求項１ないし請求項３のいずれか１項に記載の釣竿ケース。
【請求項５】
前記ケース本体の前記背面が平坦面であることを特徴とする請求項１ないし請求項４のいずれか１項に記載の釣竿ケース。
【請求項６】
前記補強体が前記ケース本体の背面の領域内に収まるように配置されることを特徴とする請求項１ないし請求項５のいずれか１項に記載の釣竿ケース。
【請求項７】
前記補強体が中空部を有することを特徴とする請求項１ないし請求項６のいずれか１項に記載の釣竿ケース。
【発明の詳細な説明】
【技術分野】
【０００１】
本発明は、釣竿を収納する釣竿ケースに関し、特に補強構造を備えた釣竿ケースに関する。
【背景技術】
【０００２】
従来から、釣竿を収容して携行できるようにする釣竿ケースが知られている。これらの釣竿ケースの多くは、釣竿を収容するための筒状の胴部として形成されるケース本体と、該ケース本体の底部に取り付く底体（ボトムカップ）とを備えており、その他、ショルダーベルトや小物用のポケット（フロントポケットやサイドポケット）等がケース本体に取り付けられている。
【０００３】
ところで、この種の釣竿ケースでは、釣竿が収容される収容部に外力が作用して内部の釣竿が破損しないように、ケース本体を補強するための補強構造が一般に設けられる。例えば、特許文献１に開示される釣竿ケース１００は、図９に示されるように、ショルダーベルトが止着される背負い面である背面１０２に対して互いに間隔を隔ててケース長手方向に沿って延在して取り付けられる一対の補強ロッド１０４，１０４を備えている。この場合、補強ロッド１０４，１０４は、背面１０２に設けられた挿通部１０５に挿通して設けられている。また、特許文献２では、ケース本体を構成する外装材と内装材との間に硬質ボードが略Ｕ字状に撓ませられた状態で介装されている。
【先行技術文献】
【特許文献】
【０００４】
【特許文献１】特開２００２−４５０９９号
【特許文献２】特開２００８−１１７２２号
【発明の概要】
【発明が解決しようとする課題】
【０００５】
しかしながら、特許文献１に開示される釣竿ケースは、２本のロッドによる補強だけであるため、特にケース本体の長手方向軸周りのねじれに対して弱く、ケース本体がねじれたり、弓状に変形し易い。
【０００６】
これに対して、特許文献２の釣竿ケースは、板状の硬質ボードが組み込まれているため補強効果が高いが、硬質ボードがケース本体の前面を除くケース本体の大部分にわたって釣竿収容部を周回するように延在しているため、釣竿ケース全体の重量がかなり増大し、持ち運びに不便である。
【０００７】
また、特許文献２では、釣人の背中が押し付くケース本体の背面で硬質ボードがＵ字状に折り返すため、釣竿ケースを安定して背負うことが難しく、歩行時に釣竿ケースがぐらつき易い。したがって、ショルダーベルトを肩に掛けて持ち運ぶ歩行時に釣竿ケースが障害物に接触し或いは他人にぶつかるなどの不都合が生じ易い。
【０００８】
更に、このような釣竿ケースでは、ショルダーベルトを肩に掛けて持ち運ぶ際のケース本体の変形が、主に、ケース本体の背面に釣人の背中が押し付くことに起因して生じることを考慮して、無駄なく効果的に補強しつつ軽量化を図ることが望まれる。
【０００９】
本発明は、上記した問題に着目してなされたものであり、重量の増大を抑制しつつ、ケース本体を無駄なく効果的に補強して、ショルダーベルトを肩に掛けて持ち運ぶ際のケース本体の変形を抑制できる釣竿ケースを提供することを目的とする。
【課題を解決するための手段】
【００１０】
前記課題を解決するために、本発明は、釣竿を収容するための釣竿収容部を形成するケース本体を備え、肩掛け用のショルダーベルトが前記ケース本体の背面に止着されて成る釣竿ケースであって、前記ケース本体の少なくとも前記背面に補強体が配置され、該補強体は、前記ケース本体の長手方向に延在する所定幅の平板状の本体部材と、前記ケース本体のねじれ変形を抑制するように前記本体部材の幅方向の両端に設けられるねじれ抑制部とを備えて成り、前記ねじれ抑制部は、前記本体部材の幅方向の両端から円弧状に膨出して前記本体部材の他の部位よりも肉厚に形成されて成ることを特徴とする。
また、本発明は、釣竿を収容するための釣竿収容部を形成するケース本体を備え、肩掛け用のショルダーベルトが前記ケース本体の背面に止着されて成る釣竿ケースであって、前記ケース本体の少なくとも前記背面に補強体が配置され、該補強体は、前記ケース本体の長手方向に延在する所定幅の平板状の本体部材と、前記ケース本体のねじれ変形を抑制するように前記本体部材の幅方向の両端に設けられるねじれ抑制部とを備えて成り、前記ねじれ抑制部は、前記本体部材の幅方向の両端のそれぞれに略Ｙ形状を成す２つの屈曲部を設けることにより形成され、前記屈曲部は、前記釣竿収容部に向けて内側に屈曲する第１の屈曲部と、前記釣竿収容部に対して外側に方向付けられる第２の屈曲部とから成ることを特徴とする。
【００１１】
上記構成によれば、ショルダーベルトが止着されるケース本体の背面にケース本体の長手方向に延在する所定幅の平板状の補強体が設けられるため、補強ロッド等の局所的な補強に比べて十分な補強効果を得ることができる。しかも、補強体を、ケース本体の大部分にわたって周回させることなく、ショルダーベルトを肩に掛けて持ち運ぶ際に変形しやすいケース本体の背面に主として設けるため、重量の増大を抑制しつつ、ケース本体を無駄なく効果的に補強して、ショルダーベルトを肩に掛けて持ち運ぶ際のケース本体の変形を効果的に抑制できる。更に、本発明によれば、補強体の本体部材の幅方向の両端にねじれ抑制部が設けられるため、ケース本体のねじれ強度が向上し、ケース本体のねじれ変形を効果的に抑制する（ケース本体の保形性を向上させる）ことができる。つまり、本発明は、補強範囲をケース本体の変形しやすい部分に限定して重量増加を抑える一方で、補強範囲を限定したことによる補強効果の不足をねじれ抑制部によって補償することにより、前記目的を達成しようとするものである。
【００１２】
なお、上記構成において、「ねじれ変形」とは、ケース本体の長手方向軸周りの変形のことである。また、上記構成において、「背面」とは、ショルダーベルトを肩に掛けて持ち運ぶ釣人の背中が押し付くケース本体の面として規定される。この場合、「面」とは、本明細書全体にわたって、ケース本体の外面のみならず、ケース本体を形成する所定の肉厚をもった壁部を意味する。また、上記構成において、補強体はケース本体の少なくとも背面に設けられていればよく、ケース本体の背面以外の面へと補強体が延在することを妨げるものではない。
【００１４】
また、上記構成では、ケース本体が外装体と内装体とから成る積層構造を有し、外装体と前記内装体との間に形成される空隙部に補強体が挿脱自在に挿入して取り付けられることが好ましい。これにより、補強体の設置作業性が向上するとともに、必要に応じて補強体を挿脱することで、ケースの持ち運び性および収納性を向上させることもでき有益である。また、上記構成では、補強体が少なくともケース本体に対するショルダーベルトの両端の取付部間の長さ領域にわたって延在することが好ましい。これにより、ケース本体の背面の補強を十分に行なうことができ、釣竿ケースの変形を抑制して釣竿を保護することができる。また、上記構成では、ケース本体の背面が平坦面であることが好ましい。これによれば、釣竿ケースを安定して背負うことができ、歩行時における釣竿ケースのぐらつきを最小限に抑えることができる。また、上記構成では、補強体がケース本体の背面の領域内に収まるように配置されることが好ましい。これにより、補強体の設置範囲を変形しやすい領域に限定して釣竿ケースの軽量化を図ることができる。また、これに関連して、補強体が中空部を有していれば、補強体の軽量化を図ることもでき、釣竿ケース全体の軽量化に寄与し得る。
【発明の効果】
【００１５】
本発明の釣竿ケースによれば、ショルダーベルトが止着されるケース本体の背面に平板状の補強体が配置され、該補強体は、その本体部材の幅方向の両端に、ケース本体のねじれ変形を抑制するねじれ抑制部を備えるため、重量の増大を抑制しつつ、ケース本体を無駄なく効果的に補強して、ショルダーベルトを肩に掛けて持ち運ぶ際のケース本体の変形を抑制できる。
【図面の簡単な説明】
【００１６】
【図１】（ａ）は本発明の一実施形態に係る釣竿ケースの斜視図、（ｂ）は（ａ）の釣竿ケースの平面図である。
【図２】図１の釣竿ケースのスライドファスナを下げて釣竿収容部を開放した状態で空隙部に補強体を挿通する状態を示す、釣竿ケースの上方から見た斜視図である。
【図３】（ａ）はケース本体の横断面図、（ｂ）は補強体の部分斜視図である。
【図４】（ａ）は補強体の横断面図（（ｂ）のＡ−Ａ線に沿う断面図）、（ｂ）は（ａ）の補強体の正面図である。
【図５】（ａ）は第１の変形例に係る補強体の横断面図（（ｂ）のＢ−Ｂ線に沿う断面図）、（ｂ）は（ａ）の補強体の正面図である。
【図６】（ａ）は中空部を有する図４の補強体の変形例の横断面図、（ｂ）は中空部を有する図５の補強体の変形例の横断面図である。
【図７】（ａ）は中空部に隔壁を有する（複数の中空部を有する）図６の（ａ）の補強体の変形例の横断面図、（ｂ）は中空部に隔壁を有する（複数の中空部を有する）図６の（ｂ）の補強体の変形例の横断面図である。
【図８】（ａ）は第２の変形例に係る補強体の横断面図（（ｂ）のＣ−Ｃ線に沿う断面図）、（ｂ）は（ａ）の補強体の正面図、（ｃ）は（ａ）の補強体の側面図である。
【図９】従来の釣竿ケースの補強構造を示す部分斜視図である。
【発明を実施するための形態】
【００１７】
以下、図面を参照しながら、本発明に係る釣竿ケースの実施形態について説明する。  
図１〜図３に示されるように、本実施形態の釣竿ケース１は、釣竿を収容するための釣竿収容部Ｓ（図２および図３参照）を形成する略筒状のケース本体２を備え、肩掛け用のショルダーベルト２０がケース本体２に止着されて成る。ケース本体２は、図３に明確に示されるように、ナイロンやポリプロピレン等の合成樹脂の生地から成る外装体４２と内装体４０とを積層した２重構造を成す。また、ケース本体２は、前記２重構造を成す所定の肉厚の壁部として、ショルダーベルト２０を肩に掛けて持ち運ぶ釣人の背中が押し付く背面２ａと、この背面２ａと反対側に位置して対向する前面２ｂと、背面２ａと前面２ｂとを繋ぐ一対の対向する側面２ｃ，２ｄとを有しており、それぞれの面を形成する各外装体４２の両端を釣竿収容部Ｓへ向けて内側に折り返してその折り返された隣接する外装体４２同士を糸４１で縫い合わせることにより、断面が略矩形の筒状に形成される。そして、これらの面２ａ，２ｂ，２ｃ，２ｄのうち、特に背面２ａは、ショルダーベルト２０を肩に掛けた際に釣竿ケース１を安定して背負うことができるように平坦面として形成されている。なお、ケース本体２の底部は、例えば断面が略コ字状に成形されてケース本体２よりも剛性の大きい材料からなる合成樹脂製等の底体（ボトムカップ）９内に嵌合される。
【００１８】
また、ケース本体２には、その上面２ｅ（図１参照）から前面２ｂにわたって（例えば底体９に至るまで）、釣竿収容部Ｓを開放する釣竿取出し口１９を開閉するためのスライドファスナ１３が、上面２ｅおよび前面２ｂで分離される生地（外装体４２および内装体４０）間に縫着して設けられている。また、ケース本体２の両側面２ｃ，２ｄにはそれぞれ小物用のサイドポケット５，６，７，８および手提げ用の第１の取っ手１５が取り付けられるとともに、ケース本体２の背面２ａには、前述したショルダーベルト２０が止着される他、手提げ用の第２の取っ手１６が取り付けられる
【００１９】
また、このような本実施形態の釣竿ケース１には、ケース本体２の背面２ａに補強体１０が配置される。この補強体１０は、ケース本体２の長手方向に延在する所定幅の平板状の本体部材１０ａと、ケース本体２のねじれ変形（ケース本体２の長手方向軸周りの変形・・・図１の（ｂ）に矢印で示される方向のねじれ）を抑制するように本体部材１０ａの幅方向の両端に設けられるねじれ抑制部１０ｂ，１０ｂとを備えて成り、背面２ａを構成する外装体４２と内装体４０との間に形成される空隙部３０（図２および図３参照）内に挿脱自在に挿入して取り付けられる。なお、空隙部３０を設けることなく背面２ａの内側に補強体１０を直接に固着してもよいことは言うまでもない。
【００２０】
また、本実施形態において、背面２ａに設けられる補強体１０は、少なくとも、ケース本体２に対するショルダーベルト２０の両端の取付部（止着部）２０ａ，２０ｂ間の長さ領域にわたって、好ましくは背面２ａのほぼ全長にわたって延在して配置される（図１の破線参照）。また、本実施形態において、補強体１０はケース本体２の背面２ａの領域内に収まるように配置されている。
【００２１】
また、ケース本体２のねじれ変形を抑制するように補強体１０の本体部材１０ａの幅方向の両端に設けられるねじれ抑制部１０ｂ，１０ｂは、本実施形態では、図４に明確に示されるように、本体部材１０ａの幅方向の両端を本体部材１０ａの他の部位よりも肉厚にすることにより形成される。特に、本実施形態において、この肉厚部１０ｂ，１０ｂは、本体部材１０ａの幅方向の両端から本体部材１０ａの全長にわたって円弧状に膨出して成る。なお、本実施形態において、補強体１０は、例えば、ＡＢＳ、ＰＣ、ＰＰ、ＰＳ、ＰＥ等から例えば押し出し成形によって              形成される。
【００２２】
以上のように、本実施形態によれば、ショルダーベルト２０が止着されるケース本体２の背面２ａにケース本体２の長手方向に延在する所定幅の平板状の補強体１０が設けられるため、補強ロッド等の局所的な補強に比べて十分な補強効果を得ることができる。しかも、補強体１０をショルダーベルト２０を肩に掛けて持ち運ぶ際に変形しやすいケース本体２の背面２ａに設けるため、重量の増大を抑制しつつ、ケース本体２を無駄なく効果的に補強して、ショルダーベルト２０を肩に掛けて持ち運ぶ際のケース本体２の変形を効果的に抑制できる。更に、本実施形態によれば、補強体１０の本体部材１０ａの幅方向の両端にねじれ抑制部１０ｂ，１０ｂが設けられるため、補強体１０のねじれ変形（図４の（ａ）に矢印で示される方向のねじれ）が抑制され、結果として、ケース本体２のねじれ強度が向上して、ケース本体２のねじれ変形（図１の（ｂ）に矢印で示される方向のねじれ）を効果的に抑制する（ケース本体の保形性を向上させる）ことができる。また、このようなねじれ抑制部１０ｂ，１０ｂは、側方からの衝撃に強く、補強体１０を破損し難くする。このように、本実施形態では、補強範囲をケース本体２の変形しやすい部分（背面２ａ）に限定して重量増加を抑える一方で、補強範囲を限定したことによる補強効果の不足をねじれ抑制部１０ｂ，１０ｂによって補償するようにしている。
【００２３】
また、本実施形態では、ケース本体２が外装体４２と内装体４０とから成る積層構造を有し、外装体４２と内装体４０との間に形成される空隙部３０に補強体１０が挿脱自在に挿入して取り付けられるため、補強体１０の設置作業性が向上するとともに、必要に応じて補強体１０を挿脱することで、釣竿ケース１の持ち運び性および収納性を向上させることもでき有益である。また、本実施形態では、補強体１０が少なくともケース本体２に対するショルダーベルト２０の両端の取付部（止着部）２０ａ，２０ｂ間の長さ領域にわたって延在しているため、ケース本体２の背面２ａの補強を十分に行なうことができ、釣竿ケース１の変形を抑制して釣竿を保護することができる。また、本実施形態では、ケース本体２の背面２ａが平坦面として形成されているため、釣竿ケース１を安定して背負うことができ、歩行時における釣竿ケース１のぐらつきを最小限に抑えることができる。また、本実施形態では、補強体１０がケース本体２の背面２ａの領域内に収まるように配置されるため、補強体１０の設置範囲を変形しやすい領域に限定して釣竿ケース１の軽量化を図ることができる。
【００２４】
なお、本実施形態では、補強体１０がケース本体２の背面２ａにのみ設けられているが、補強体１０がケース本体２の背面２ａから側面２ｃ，２ｄへと延在してもよいことは言うまでもない。
【００２５】
図５は補強体の第１の変形例を示している。この変形例に係る補強体１０Ａは、本体部材１０ａの両端に形成されるねじれ抑制部１０ｂ’，１０ｂ’が、本体部材１０ａの幅方向の両端をそれぞれその全長にわたって釣竿収容部Ｓに向けて内側に屈曲させることにより形成されている。このような構成でも、補強体１０のねじれ変形（図５の（ａ）に矢印で示される方向のねじれ）が抑制され、結果として、ケース本体２のねじれ強度が向上して、ケース本体２のねじれ変形（図１の（ｂ）に矢印で示される方向のねじれ）を効果的に抑制する（ケース本体の保形性を向上させる）ことができる。
【００２６】
図６は、前述した補強体１０，１０Ａを中空体として形成した変形例を示している。図６の（ａ）は中空部４７を有する図４の補強体１０の変形例を示し、図６の（ｂ）は中空部４７を有する図５の補強体１０Ａの変形例を示している。このように補強体１０，１０Ａが中空部４７を有していれば、補強体１０，１０Ａの軽量化を図ることもでき、釣竿ケース１全体の軽量化に寄与し得る。
【００２７】
図７は、中空部４７に複数の隔壁４９を有する、すなわち、複数の区分けされた中空部４７を有する補強体１０，１０Ａの変形例を示している。図７の（ａ）は中空部４７に複数の隔壁４９を有する図６の（ａ）の補強体１０の変形例を示し、図７の（ｂ）は中空部４７に複数の隔壁４９を有する図６の（ｂ）の補強体１０Ａの変形例を示している。このような構成は、隔壁４９の存在により図６の構成よりも強度が増すため有益である。
【００２８】
図８は補強体の更なる変形例を示している。この変形例に係る補強体１０Ｂは、本体部材１０ａの両端に形成されるねじれ抑制部１０ｂ’，１０ｂ’が、本体部材１０ａの幅方向の両端のそれぞれに略Ｙ形状を成す２つの屈曲部５１，５２を全長にわたって設けることにより形成される。この場合、第１の屈曲部５２は、釣竿収容部Ｓに向けて内側に屈曲されており、一方、第２の屈曲部５１は、釣竿収容部Ｓに対して外側に方向付けられている。このような構成でも、補強体１０のねじれ変形（図８の（ａ）に矢印で示される方向のねじれ）が抑制され、結果として、ケース本体２のねじれ強度が向上して、ケース本体２のねじれ変形（図１の（ｂ）に矢印で示される方向のねじれ）を効果的に抑制する（ケース本体の保形性を向上させる）ことができる。また、これに加え、屈曲部５１，５２が釣竿収容部Ｓに対して内側および外側の両方に（前後に向けて）屈曲されているため、図８の（ｃ）に矢印で示される前後方向の撓みに対する強度も向上する。
【符号の説明】
【００２９】
１  釣竿ケース
２  ケース本体
２ａ  背面
１０，１０Ａ，１０Ｂ  補強体
１０ａ  本体部材
１０ｂ，１０ｂ’，１０ｂ”  ねじれ抑制部
２０  ショルダーベルト
３０  空隙部
４０  内装体
４２  外装体
４７  中空部
５１  第２の屈曲部
５２  第１の屈曲部
Ｓ  釣竿収容部
【図１】
0005631844.tif 000002
【図２】
0005631844.tif 000003
【図３】
0005631844.tif 000004
【図４】
0005631844.tif 000005
【図５】
0005631844.tif 000006
【図６】
0005631844.tif 000007
【図７】
0005631844.tif 000008
【図８】
0005631844.tif 000009
【図９】
0005631844.tif 000010